(57)【要約】【課題】  物品の支持部の取付角度を容易に変更することができる物品支持装置を提供する。【解決手段】  所望箇所に保持された支柱具１に固定された固定具２と、固定具２に対して着脱可能に配設され物品を支持する支持部３を有する支持具４とを有し、固定具２には嵌合凸部５を設け、支持具４には嵌合凸部５に嵌合する嵌合凹部６を設け、嵌合凸部５および嵌合凹部６には、嵌合方向Ａに沿った軸芯Ｂを略中心とした複数の回転位置で嵌合自在に形成され、かつ、嵌合状態で相互に係止して軸芯Ｂを略中心とした相対回転を抑制する係止部７をそれぞれ設け、嵌合凸部５に結合され嵌合凹部６の反嵌合方向Ｃへの移動を阻止する阻止具８を備え、固定具２の嵌合凸部５への支持具４の嵌合凹部６の嵌合方向Ａに沿った軸芯Ｂを略中心とした回転位置を変更して嵌合することにより支持部３の支柱具１に対する傾きを変更可能するものである。【選択図】        図１
2007061461.tif 000002
【特許請求の範囲】
【請求項１】
所望箇所に保持された支柱具に固定して物品を支持する物品支持装置において、上記支柱具に固定された固定具と、上記固定具に対して着脱可能に配設され物品を支持する支持部を有する支持具とを有し、上記固定具には嵌合凸部を設け、上記支持具には上記嵌合凸部に嵌合する上記嵌合凹部を設け、上記嵌合凸部および上記嵌合凹部には、嵌合方向に沿った軸芯を略中心とした複数の回転位置で嵌合自在に形成され、かつ、嵌合状態で相互に係止して上記軸芯を略中心とした相対回転を抑制する係止部をそれぞれ設け、上記嵌合凸部に結合され上記嵌合凹部の反嵌合方向への移動を阻止する阻止具を備え、上記固定具の嵌合凸部への上記支持具の嵌合凹部の嵌合方向に沿った軸芯を略中心とした回転位置を変更して嵌合することにより上記支持部の上記支柱具に対する傾きを変更可能とすることを特徴とする物品支持装置。
【請求項２】
上記嵌合凸部は、上記軸芯を略中心とした円周状の外側壁を有し、上記嵌合凹部は、上記軸芯を略中心とした円周状の内側壁を有し、上記係止部は、上記嵌合凸部の外側壁および上記嵌合凹部の内側壁に、係止溝および上記係止溝に係止する係止突起が上記軸芯を略中心として略均等間隔に全周に渡って形成されていることを特徴とする請求項１に記載の物品支持装置。
【請求項３】
上記固定具は、上記支柱具から着脱可能に形成されていることを特徴とする請求項１または請求項２に記載の物品支持装置。
【請求項４】
上記阻止具は、上記固定具から着脱可能に形成されていることを特徴とする請求項１ないし請求項３のいずれかに記載の物品支持装置。
【請求項５】
上記支柱具を所定の間隔にて一対備えた請求項１ないし請求項４のいずれかに記載の物品支持装置において、上記両固定具および両支持具および両阻止具が上記両支柱具の垂直方向に対して略同一高さにそれぞれ配設され、上記両支持部上を跨ぐように保持された棚板を備え、上記両固定具の嵌合凸部への上記両支持具の嵌合凹部の嵌合方向に沿った軸芯を略中心とした回転位置を変更して嵌合することにより上記両支持部の上記両支柱具に対する傾きを変更して上記棚板の傾斜角度を変更可能とすることを特徴とする棚板付き物品支持装置。
【発明の詳細な説明】
【技術分野】
【０００１】
この発明は、物品の支持部の取付角度を容易に変更することができる物品支持装置および棚板付き物品支持装置に関するものである。
【背景技術】
【０００２】
従来のスタンド式陳列棚は、棚板を支持する側板に形成された複数の切欠の所望の箇所にピンを係合させて棚板の取付角度を変更するものである（例えば、特許文献１参照）。また、他の従来の物品陳列什器は、枠体の８角に形成されたジョイントの係合部を変更することにより棚板の傾斜角度を変更するものである（例えば、特許文献２参照）。
【０００３】
【特許文献１】実開昭５９−１２０９６２号公報
【特許文献２】特開２００４−７３６６３号公報
【発明の開示】
【発明が解決しようとする課題】
【０００４】
従来の物品支持装置は上記のように構成されているため、棚板の角度を変更するために棚板に切欠を設けたり、枠体自体の係合を変更したりなどにて対応しているため、取付角度を変更する構造が複雑で取付角度を変更する操作が困難であったり、また、様々な棚板を自由に取り替えたりすることができないという問題点があった。
【０００５】
この発明は上記のような課題を解決するためになされたものであり、物品の支持部の取付角度を容易に変更することができ、様々な棚板を自由に取り替えることができる物品支持装置および棚板付き物品支持装置を提供することを目的とする。
【課題を解決するための手段】
【０００６】
この発明は、所望箇所に保持された支柱具に固定して物品を支持する物品支持装置において、支柱具に固定された固定具と、固定具に対して着脱可能に配設され物品を支持する支持部を有する支持具とを有し、固定具には嵌合凸部を設け、支持具には嵌合凸部に嵌合する嵌合凹部を設け、嵌合凸部および嵌合凹部には、嵌合方向に沿った軸芯を略中心とした複数の回転位置で嵌合自在に形成され、かつ、嵌合状態で相互に係止して軸芯を略中心とした相対回転を抑制する係止部をそれぞれ設け、嵌合凸部に結合され嵌合凹部の反嵌合方向への移動を阻止する阻止具を備え、固定具の嵌合凸部への支持具の嵌合凹部の嵌合方向に沿った軸芯を略中心とした回転位置を変更して嵌合することにより支持部の支柱具に対する傾きを変更可能とするものである。
【発明の効果】
【０００７】
この発明の物品支持装置は、所望箇所に保持された支柱具に固定して物品を支持する物品支持装置において、支柱具に固定された固定具と、固定具に対して着脱可能に配設され物品を支持する支持部を有する支持具とを有し、固定具には嵌合凸部を設け、支持具には嵌合凸部に嵌合する嵌合凹部を設け、嵌合凸部および嵌合凹部には、嵌合方向に沿った軸芯を略中心とした複数の回転位置で嵌合自在に形成され、かつ、嵌合状態で相互に係止して軸芯を略中心とした相対回転を抑制する係止部をそれぞれ設け、嵌合凸部に結合され嵌合凹部の反嵌合方向への移動を阻止する阻止具を備え、固定具の嵌合凸部への支持具の嵌合凹部の嵌合方向に沿った軸芯を略中心とした回転位置を変更して嵌合することにより支持部の支柱具に対する傾きを変更可能とするので、嵌合凹部の嵌合凸部に対する嵌合位置により支持部の支柱具に対する傾きを容易に変更することができる。
【発明を実施するための最良の形態】
【０００８】
実施の形態１．
以下、本願発明の実施の形態について説明する。図１はこの発明の実施の形態１における物品支持装置の構成を示す図で、図１（ａ）は物品支持装置の正面図、図１（ｂ）は物品支持装置の背面図、図１（ｃ）は物品支持装置の平面図、図１（ｄ）は物品支持装置の左側面図である。図２は図１に示した物品支持装置の設置方法の例を示す図で、図２（ａ）は物品支持装置の設置方法の正面図、図２（ｂ）は物品支持装置の設置方法の左側面図である。図３は図１に示した物品支持装置の固定具の構成を示す図、図４は図１に示した物品支持装置の支持具の構成を示す図、図５は図１に示した物品支持装置の阻止具の構成を示す図、図６は図１に示した物品支持装置の固定受け具の構成を示す図、図７は図１に示した物品支持装置を用いた例を示す図、図８は図７に示した物品支持装置を用いたディスプレイの例を示す図である。
【０００９】
図において、物品支持装置は所望箇所に保持された支柱具１に固定されている固定受け具９に固定して物品を支持するものである。そして、物品支持装置は、支柱具１の固定受け具９に着脱可能に固定される固定具２と、固定具２に対して着脱可能に配設され物品を支持する支持部３を有する支持具４とを有し、固定具２には嵌合凸部５を設け、支持具４には嵌合凸部５に嵌合する嵌合凹部６を設け、嵌合凸部５および嵌合凹部６には、嵌合方向Ａに沿った軸芯Ｂを略中心とした複数の回転位置で嵌合自在に形成され、かつ、嵌合状態で相互に係止して軸芯Ｂを略中心とした相対回転を抑制する係止部７をそれぞれ設け、嵌合凸部５に結合され嵌合凹部６の反嵌合方向Ｃへの移動を阻止し、嵌合凸部５に着脱可能に形成されている阻止具８とを備えている。
【００１０】
以下各箇所の構成の詳細について説明する。図３は図１に示した物品支持装置の固定具を示し、図３（ａ）は固定具の正面図、図３（ｂ）は固定具の左側面図、図３（ｃ）は固定具の平面図、図３（ｄ）は固定具の固定軸部の左側面図、図３（Ｉ）は図３（ａ）のＩにて囲んだ部分の拡大図をそれぞれ示す。そして、固定具２は図３に示すように、嵌合凸部５は、軸芯Ｂを略中心とした円周状の外側壁５１を有し、係止部７は、嵌合凸部５の外側壁５１に、係止溝７１および係止溝７１に係止する係止突起７２が軸芯Ｂを略中心として略均等間隔、ここでは１５°間隔にて全周に渡って形成されている。また、この係止溝７１および係止突起７２は図３（Ｉ）の拡大部分図に示すように、９０°の凹状および９０°の凸状にてそれぞれ形成されている。また、固定具２は、嵌合凸部５の中心に形成された略四角柱状の貫通孔５２に貫通しかつ嵌合凸部５から後方に延在する部分に傾斜を有する略四角柱状の固定軸部２１が配設されている。そして、嵌合凸部５に形成されたネジ穴５３を介してネジ５４にて固定軸部２１はネジ止めされて固定され固定具２が構成されている。そして、後述する固定受け具９に固定軸部２１の傾斜している一端が嵌合することにより固定具２が支柱具１に固定される。また、この固定軸部２１の前端中央には阻止具８を結合するためのネジ穴２２が形成されており、阻止具８はこのネジ穴２２に着脱可能に形成されることとなる。
【００１１】
図４は図１に示した物品支持装置の支持具を示し、図４（ａ）は支持具の正面図、図４（ｂ）は支持具の背面図、図４（ｃ）は支持具の平面図、図４（ｄ）は支持具の左側面図をそれぞれ示す。支持具４は図４に示すように、嵌合凹部６は、軸芯Ｂを略中心とした円周状の内側壁６１を有し、係止部７は固定具２と同様に、嵌合凹部６の内側壁６１に、係止溝７１および係止溝７１に係止する係止突起７２が軸芯Ｂを略中心として略均等間隔、ここでは１５°間隔にて全周に渡って形成されている。また、この係止溝７１および係止突起７２は上記固定具２にて示した図３（Ｉ）の拡大部分図と同様に、９０°の凹状および９０°の凸状にてそれぞれ形成されている。そして、嵌合凹部６の反嵌合方向Ｃへの移動を阻止するための後述する阻止具８の阻止面８３と当接する当接面６２と、後述する載置具１０を支持部３に固定するためのネジ穴３１とを備えている。そして、このように固定具２および支持具４が形成されることにより、固定具２の嵌合凸部５への支持具４の嵌合凹部６の嵌合方向Ａに沿った軸芯Ｂを略中心とした複数の回転位置の位置を相対的に変更して嵌合することが可能となり、支持部３の支柱具１に対する傾きを変更可能としている。ここで言う、複数の回転位置とは係止部７の係止溝７１または係止突起７２の形成されている位置を指す。そして、支柱具１に固定された固定具２に対して、係止部７の係止溝７１と係止突起７２との位置関係を相対的に変更して支持具４を嵌合することにより、支持部３の支柱具１に対する傾きが変更される。
【００１２】
図５は図１に示した物品支持装置の阻止具を示し、図５（ａ）は阻止具の正面図、図５（ｂ）は阻止具の左側面図をそれぞれ示す。阻止具８は図５に示すように、固定具２の固定軸部２１に形成されているネジ穴２２にネジ止めするネジ部８１と、このネジ止めする場合に利用する切り欠き部８２と、ネジ穴２２にネジ止めした際に支持具３の嵌合凹部６に形成されている当接面６２に当接して嵌合凹部６の反嵌合方向Ｃへの移動を阻止する阻止面８３とを備えている。また、図６は図１に示した物品支持装置の固定受け具を示し、図６（ａ）は固定受け具の正面図、図６（ｂ）は固定受け具の左側面図をそれぞれ示す。固定受け具９は図６に示すように、支柱具１に固着するためのビスが挿入されるビス穴９２と、固定具２の固定軸部２１が挿入可能な挿入口９１とが形成されている。
【００１３】
次に上記のように構成された実施の形態１の物品支持装置の設置方法について説明する。まず、支柱具１にビス穴９２を介してビス止めにより固着されている固定受け具９の挿入口９１に固定具２の固定軸部２１を挿入して固定具２を支柱具１の所望箇所に保持する。次に、固定具２の嵌合凸部５に支持具４の嵌合凹部６を所望の回転位置、例えば水平位置となるように嵌合方向Ａから挿入する。このようにして嵌合凸部５に嵌合凹部６が嵌合されると、係止部７の係止溝７１および係止突起７２が互いに当接して相互に係止して軸芯Ｂを略中心とした相対回転を抑制する。次に、阻止具８のネジ部８１を阻止具８の切り欠き部８２を用いて嵌合凸部５のネジ穴２２にネジ止めして阻止具８の阻止面８３を当接面６２に当接されて嵌合凹部６の反嵌合方向Ｃへの移動を阻止する。そして、支持部３が支持具１に対して所望の傾き、例えば図２（ａ）、（ｂ）の上部の図に示すように支持部３が支持具１に対して水平位置に設置されることとなる。また、物品支持装置を外す場合には、上記工程と逆工程、阻止具８を切り欠き部８３を用いて外して、支持具４を反嵌合方向Ｃに引き抜けば容易に外すことができる。また、支持具４の嵌合凹部６の回転位置を変更すれば図２（ａ）、（ｂ）の下部の図に示すように、水平方向の支持部３から任意の角度傾斜した支持部３ａの状態に容易に支持具１に対する傾きを変更することができる。
【００１４】
次に、上記のように構成された実施の形態１の設置された物品支持装置の利用方法について説明する。図７（ａ）は物品支持装置の利用方法の正面図、図７（ｂ）は物品支持装置の利用方法の平面図、図７（ｃ）は物品支持装置の左側面図をそれぞれ示す。まず、図７に示すように、支持部３に載置具１０をネジ穴３１を介してネジ１０２にてネジ止めして配設する。そして、載置具１０の両端には載置具１０上に載置された物品を保持する保持具１０１が形成される。そして、図８（ａ）に示すように、この載置具１０上に物品としての例えばシューズ１１０を載置してディスプレイとして利用する。上記に示したように、支持部３の傾きを変更して支持部３ａのようにすれば、図８（ｂ）に示すように、載置具１０に載置されたシューズ１１０も傾きを変更してディスプレイされることとなる。
【００１５】
上記のように構成された実施の形態１の物品支持装置によれば、嵌合凹部の嵌合凸部に対する嵌合位置により支持部の支柱具に対する傾きを容易に変更することができる。また、係止部が軸芯と略中心として略均等間隔にて全周に渡って形成されているため所望の傾きが設定しやすく、また、係止部が係止溝および係止突起にて形成されているため、嵌合凹部および嵌合凸部の回転方向の係止を確実に行うことができる。また、固定具を着脱可能と形成しているため、物品支持装置を支柱具から容易に着脱することが可能となる。また、阻止具を着脱可能と形成しているため、阻止具を着脱することにより、嵌合凹部の嵌合凸部に対する嵌合位置を容易に変更することができる。
【００１６】
尚、上記実施の形態１では支持部の上部にさらに載置具を固定してディスプレイを行う例を示したが支持部の構造を変更することにより載置具を用いることなく物品を支持部上に載置することは可能であることは言うまでもない。このように構成したのは載置具の形状を変更することにより様々な形状に対応することが可能となるためである。また、固定具を支柱具から着脱可能に形成したが、これに限られることはなく、固定具は支持具に固着され着脱ができない構成であっても、阻止具の着脱にして上記実施の形態１と同様に支持具の嵌合位置を変更することにより支持部の傾きが変更できることは言うまでない。また、阻止具を支持具から着脱可能に形成しているが、これに限られることはなく、阻止具が支持具に固着され着脱できない構成であっても、固定具を支柱具から外して、支持具を固定具の嵌合方向から着脱して嵌合位置を変更すれば上記実施の形態１と同様に支持具の傾きを変更することができる。
【００１７】
また、係止部の構造は上記実施の形態１にて示された構造に限られることはなく、１５°間隔を例えば１０°間隔にて形成する場合、また、嵌合凸部および嵌合凹部を例えば正六角形などの正多角形にて形成してもよく、また、係止溝および係止突起を直角ではなく、曲面にて形成する場合、また、嵌合凹部または嵌合凸部の係合突起を１つのみ形成する場合等の他の構成も様々なものが考えられる。但し、物品をディスプレイするような場合、１５°、３０°、４５°等の傾斜に傾けることがよく利用されているため、上記実施の形態１にて示したような形状であれば容易に対応することが可能であることは言うまでもない。また、支柱具は壁面にて形成する例を示したがこれに限られることはなく、所望箇所に保持された柱にて形成することも可能である。また、支持部の上部に固定して形成される載置具は上記実施の形態１に示したような形状に限られることはなく、ワイヤラックのようなものであったり物品を載置可能であればよく様々なものが考えられる。また、ここでは物品を支持部の上部に載置する例を示したがこれに限られることはなく、支持部の下部に吊り下げるように支持してもよいことは言うまでもなく、様々なディスプレイ方法が可能である。
【００１８】
実施の形態２．
上記実施の形態１では１つの物品支持装置の利用方法について示したが、支柱具を所定の間隔にて一対備えた場合の物品支持装置の利用方法について説明する。図９はこの発明の実施の形態２における物品支持装置の利用方法を示した図で、図９（ａ）は物品支持装置の利用方法の正面図、図９（ｂ）は物品支持装置の利用方法の平面図、図９（ｃ）は物品支持装置の左側面図をそれぞれ示す。図１０は図９に示した物品支持装置の棚板付き物品支持装置について説明する図である。図において、上記実施の形態１と同様の部分は同一符号を付して説明を省略する。支持部３には載置具１１がネジ穴３１を介してネジ１１２にてネジ止めして配設されている。そして、この載置具１１上に棚板１２を保持する保持具１１１が両端に形成されている。そして、このように形成された物品支持装置が所定の間隔にて一対備えている支柱具１の垂直方向に対して略同一高さにそれぞれ配設されている。そして、この両物品支持装置の両支持部３上を跨ぐように保持された棚板１２が配設されている。
【００１９】
次に上記のように構成された実施の形態２の物品支持装置の設置方法について説明する。まず、物品支持装置の設置方法は上記実施の形態１と同様に一対の支柱具１の垂直方向に対して略同一高さにそれぞれ配設する。この場合、一対の支持部３の傾きが同様、例えば図１０の上部の図に示すように水平位置となるように嵌合凸部５に嵌合凹部６を嵌合させる。次に、両支持部３上を跨ぐように載置具１１上に棚板１２を載置して保持すると例えば図１０の上部の図に示すように棚板１２は水平となり設置される。また、図１０の下部の図に示すように、固定具２の嵌合凸部５への支持具４の嵌合凹部６の嵌合方向Ａに沿った軸芯Ｂを略中心とした回転位置を変更して嵌合し、支持部３を支柱具１に対する傾きを変更して支持部３ａとなるように設置すると、棚板１２の傾斜角度が変更して設置されることとなる。このように傾斜角度を変更することにより棚板１２上に載置する物品を様々な角度にてディスプレイすることが可能となる。
【００２０】
上記のように構成された実施の形態２の棚板付き物品支持装置によれば、一対の支柱具に配設された物品支持装置の嵌合凹部の嵌合凸部に対する嵌合位置により支持部の支柱具に対する傾きを容易に変更することにより、支持部上に配設されている棚板の支柱具に対する傾斜角度を容易に変更することができる。また、一対の物品支持装置を相対的に同一角度にて変更する必要があるため、例えば係止溝または係止突起の形成位置に番号などを付しておくことにより、一対の嵌合位置を容易に一致させることができる。尚、棚板の構成は他にもいろいろなものが可能であり、ガラス板にて形成する方法や、棚板を傾斜させた場合の保持具を備えるような場合などがいろいろな構成が考えられる。
【図面の簡単な説明】
【００２１】
【図１】この発明の実施の形態１における物品支持装置の構成を示す図である。
【図２】図１に示した物品支持装置の設置方法の例を示す図である。
【図３】図１に示した物品支持装置の固定具の構成を示す図である。
【図４】図１に示した物品支持装置の支持具の構成を示す図である。
【図５】図１に示した物品支持装置の阻止具の構成を示す図である。
【図６】図１に示した物品支持装置の固定受け具の構成を示す図である。
【図７】図１に示した物品支持装置を用いた例を示す図である。
【図８】図７に示した物品支持装置を用いたディスプレイの例を示す図である。
【図９】この発明の実施の形態２における物品支持装置の利用方法を示す図である。
【図１０】図９に示した物品支持装置を用いた棚板付き物品支持装置の構成を示す図である。
【符号の説明】
【００２２】
１  支柱具、２  固定具、３  支持部、４  支持具、５  嵌合凸部、６  嵌合凹部、
７  係止部、８  阻止具、５１  外側壁、６１  内側壁、７１  係止溝、
７２  係止突起、Ａ  嵌合方向、Ｂ  軸芯、Ｃ  反嵌合方向。
【図１】
2007061461.tif 000003
【図２】
2007061461.tif 000004
【図３】
2007061461.tif 000005
【図４】
2007061461.tif 000006
【図５】
2007061461.tif 000007
【図６】
2007061461.tif 000008
【図７】
2007061461.tif 000009
【図８】
2007061461.tif 000010
【図９】
2007061461.tif 000011
【図１０】
2007061461.tif 000012